(57)【特許請求の範囲】
【請求項１】
ユーザの指爪画像から抽出した爪領域の面積と横方向及び縦方向の長さ寸法とを検出する爪領域情報検出手段と、
前記爪領域の面積のデータと、前記横方向の長さ寸法のデータと、前記縦方向の長さ寸法のデータと、を保持する爪領域データ保持部と、
ユーザにより選択された、サイズデータ、位置データ、イメージデータ、が対応付けられたデザインパーツを含むデザイン画像に含まれている前記デザインパーツの前記サイズデータ及び前記位置データと、前記爪領域情報検出手段により検出された前記爪領域の面積、横方向及び縦方向の長さ寸法とに基づいて、前記デザインパーツの印刷サイズ及び印刷位置を算出するパーツレイアウト算出手段と、
を備えていることを特徴とするネイルプリント装置。
【請求項２】
前記デザイン画像を構成している前記デザインパーツは複数あり、
前記デザイン画像を構成している複数の前記デザインパーツ毎に、前記サイズデータ、前記位置データ、前記イメージデータ、が対応付けられて複数組記憶されている記憶手段と、
指を撮影して前記指爪画像を得る撮影手段と、
を備えていることを特徴とする請求項１に記載のネイルプリント装置。
【請求項３】
前記パーツレイアウト算出手段により算出された各前記デザインパーツの前記印刷サイズ及び前記印刷位置と、前記記憶手段から読み出された前記デザイン画像に含まれている各前記デザインパーツの前記イメージデータとに基づいて前記爪領域に印刷を施すための印刷用データを生成する印刷用データ生成手段と、
前記印刷用データ生成手段により生成された前記印刷用データに従って前記爪領域に印刷を施す印刷手段と、
を備えることを特徴とする請求項１又は２に記載のネイルプリント装置。
【請求項４】
各前記デザインパーツのサイズデータは、前記デザイン画像を基準爪モデル上に配置した場合における各デザインパーツの面積と前記基準爪モデルの面積との相対的な面積比率により各前記デザインパーツのサイズを特定するものであり、
各前記デザインパーツの位置データは、前記基準爪モデルの横方向の長さ及び縦方向の長さを基準としたときの相対的な位置関係により各前記デザインパーツの位置を特定するものであって、
前記パーツレイアウト算出手段は、前記基準爪モデルの面積並びに横方向及び縦方向の長さ寸法を前記爪領域情報検出手段により検出された前記爪領域の面積並びに横方向及び縦方向の長さ寸法に置き換えて、各前記デザインパーツの印刷サイズ及び印刷位置を算出するものであることを特徴とする請求項２または３に記載のネイルプリント装置。
【請求項５】
前記各デザインパーツの前記横方向の位置は、前記基準爪モデルを矩形の枠で囲い、前記デザインパーツをその左端が前記基準爪モデルの前記枠の左端に重なるように前記基準爪モデル上に配置したときに、前記デザインパーツの中心が配置される位置を０％とし、前記デザインパーツをその右端が前記基準爪モデルの前記枠の右端に重なるように前記基準爪モデル上に配置したときに、前記デザインパーツの中心が配置される位置を１００％としたときの相対的な位置であり、
前記各デザインパーツの前記縦方向の位置は、前記デザインパーツをその上端が前記基準爪モデルの前記枠の上端に重なるように前記基準爪モデル上に配置したときに、前記デザインパーツの中心が配置される位置を０％とし、前記デザインパーツをその下端が前記基準爪モデルの前記枠の下端に重なるように前記基準爪モデル上に配置したときに、前記デザインパーツの中心が配置される位置を１００％としたときの相対的な位置であることを特徴とする請求項４に記載のネイルプリント装置。
【請求項６】
前記爪領域データ保持部に保持された、前記爪領域の面積のデータと、前記横方向の長さ寸法のデータと、前記縦方向の長さ寸法のデータと、はｄｏｔ数であることを特徴とする請求項１乃至５に記載のネイルプリント装置。
【請求項７】
ユーザの指爪画像から抽出した爪領域の面積と横方向及び縦方向の長さ寸法とを検出する爪領域情報検出ステップと、
前記爪領域の面積のデータと、前記横方向の長さ寸法のデータと、前記縦方向の長さ寸法のデータと、を保持する爪領域データ保持ステップと、
ユーザにより選択された、サイズデータ、位置データ、イメージデータ、が対応付けられたデザインパーツを含むデザイン画像に含まれている前記デザインパーツの、前記サイズ及び前記位置と、前記爪領域情報検出ステップにおいて検出された前記爪領域の面積、横方向及び縦方向の長さ寸法とに基づいて、前記デザインパーツの印刷サイズ及び印刷位置を算出するパーツレイアウト算出ステップと、
を含んでいることを特徴とする印刷制御方法。
【請求項８】
前記デザイン画像を構成している前記デザインパーツは複数あり、
前記デザイン画像を構成している複数の前記デザインパーツ毎に、前記サイズデータ、前記位置データ、前記イメージデータ、が対応付けられて複数組記憶されている記憶手段と、
指を撮影して前記指爪画像を得る撮影ステップと、
を含んでいることを特徴とする請求項７に記載の印刷制御方法。
【請求項９】
前記パーツレイアウト算出ステップにおいて算出された各前記デザインパーツの前記印刷サイズ及び前記印刷位置と、前記記憶手段から読み出されたデザイン画像に含まれている各前記デザインパーツの前記イメージデータとに基づいて前記爪領域に印刷を施すための印刷用データを生成する印刷用データ生成ステップと、
前記印刷用データ生成ステップにおいて生成された前記印刷用データに従って前記爪領域に印刷を施す印刷ステップと、
を含んでいることを特徴とする請求項８に記載の印刷制御方法。
【請求項１０】
各前記デザインパーツのサイズデータは、前記デザイン画像を基準爪モデル上に配置した場合における各デザインパーツの面積と前記基準爪モデルの面積との相対的な面積比率により各前記デザインパーツのサイズを特定するものであり、
各前記デザインパーツの位置データは、前記基準爪モデルの横方向の長さ及び縦方向の長さを基準としたときの相対的な位置関係により各前記デザインパーツの位置を特定するものであって、
前記パーツレイアウト算出ステップは、前記基準爪モデルの面積並びに横方向及び縦方向の長さ寸法を前記爪領域情報検出ステップにおいて検出された前記爪領域の面積並びに横方向及び縦方向の長さ寸法に置き換えて、各前記デザインパーツの前記印刷サイズ及び前記印刷位置を算出するものであることを特徴とする請求項８または９に記載の印刷制御方法。
【請求項１１】
各前記デザインパーツの前記横方向の位置は、前記基準爪モデルを矩形の枠で囲い、前記デザインパーツをその左端が前記基準爪モデルの前記枠の左端に重なるように前記基準爪モデル上に配置したときに、前記デザインパーツの中心が配置される位置を０％とし、前記デザインパーツをその右端が前記基準爪モデルの前記枠の右端に重なるように前記基準爪モデル上に配置したときに、前記デザインパーツの中心が配置される位置を１００％としたときの相対的な位置であり、
前記各デザインパーツの前記縦方向の位置は、前記デザインパーツをその上端が前記基準爪モデルの前記枠の上端に重なるように前記基準爪モデル上に配置したときに、前記デザインパーツの中心が配置される位置を０％とし、前記デザインパーツをその下端が前記基準爪モデルの前記枠の下端に重なるように前記基準爪モデル上に配置したときに、前記デザインパーツの中心が配置される位置を１００％としたときの相対的な位置であることを特徴とする請求項１０に記載の印刷制御方法。
【請求項１２】
前記爪領域データ保持ステップにより保持された、前記爪領域の面積をｄｏｔ数で表したデータと、前記横方向の長さ寸法のデータと、前記縦方向の長さ寸法のデータと、はｄｏｔ数で表したデータであることを特徴とする請求項７乃至１１に記載の印刷制御方法。
【発明の詳細な説明】
【技術分野】
【０００１】
本発明は、ネイルプリント装置及び印刷制御方法に関するものである。
【背景技術】
【０００２】
ネイルプリント装置は、印刷しようとする爪の指を、装置本体に設けた指載置台上に位置決めし、この位置決めされた指の爪に色や絵柄等のデザイン画像を印刷するプリント装置であり、こうしたネイルプリント装置では、ユーザが自分の爪に印刷したいデザイン画像を選択し、選択されたデザイン画像が指の爪部の領域（以下「爪領域」という。）に印刷される。
【０００３】
そして、従来は、デザイン画像は一つの画像データとしてネイルプリント装置内等の記憶部に保持されており、この画像データ全体の縮尺をユーザの爪領域のサイズや形状等に応じて調整して印刷する手法がとられている（例えば、特許文献１参照）。
【先行技術文献】
【特許文献】
【０００４】
【特許文献１】特表２００３−５３４０８３号公報
【発明の概要】
【発明が解決しようとする課題】
【０００５】
しかしながら、デザイン画像の画像データ全体の縮尺を変えるだけでは、デザイン画像に含まれている個々の絵柄が歪んでしまったり、絵柄部分と爪領域の境界線との間の間隔が不自然に開き過ぎたり詰まり過ぎたりすることがある。
この場合、たとえ爪領域内にデザイン画像が収まったとしても、実際に爪領域に印刷される画像がユーザによって選択されたデザイン画像のイメージと異なってしまい、ユーザの所望するイメージ通りのデザインを適切に印刷することができないという問題がある。
【０００６】
この点、例えば、デザイン画像に含まれる個々の絵柄についてユーザが微調整することができれば、このようなイメージのずれを防ぐことができる。しかし、このような微調整を行うには時間と手間を要し、ユーザにとって煩わしいという問題もある。
【０００７】
本発明は以上のような事情に鑑みてなされたものであり、ユーザの手を煩わせることなく、自動的に、ユーザが選択したデザイン画像のイメージにできるだけ近似したデザインをユーザの爪領域に印刷することのできるネイルプリント装置及び印刷制御方法を提供することを目的とするものである。
【課題を解決するための手段】
【０００８】
前記課題を解決するために、請求項１に記載のネイルプリント装置は、
ユーザの指爪画像から抽出した爪領域の面積と横方向及び縦方向の長さ寸法とを検出する爪領域情報検出手段と、
前記爪領域の面積のデータと、前記横方向の長さ寸法のデータと、前記縦方向の長さ寸法のデータと、を保持する爪領域データ保持部と、
ユーザにより選択された、サイズデータ、位置データ、イメージデータ、が対応付けられたデザインパーツを含むデザイン画像に含まれている前記デザインパーツの前記サイズデータ及び前記位置データと、前記爪領域情報検出手段により検出された前記爪領域の面積、横方向及び縦方向の長さ寸法とに基づいて、前記デザインパーツの印刷サイズ及び印刷位置を算出するパーツレイアウト算出手段と、
を備えていることを特徴としている。
【０００９】
また、請求項２に記載の発明は、請求項１に記載のネイルプリント装置において、
前記デザイン画像を構成している前記デザインパーツは複数あり、
前記デザイン画像を構成している複数の前記デザインパーツ毎に、前記サイズデータ、前記位置データ、前記イメージデータ、が対応付けられて複数組記憶されている記憶手段と、
指を撮影して前記指爪画像を得る撮影手段と、
を備えていることを特徴としている。
また、請求項３に記載の発明は、請求項１又は２に記載のネイルプリント装置において、
前記パーツレイアウト算出手段により算出された各前記デザインパーツの前記印刷サイズ及び前記印刷位置と、前記記憶手段から読み出されたデザイン画像に含まれている各前記デザインパーツの前記イメージデータとに基づいて前記爪領域に印刷を施すための印刷用データを生成する印刷用データ生成手段と、
前記印刷用データ生成手段により生成された前記印刷用データに従って前記爪領域に印刷を施す印刷手段と、
を備えることを特徴としている。
更に、請求項４に記載の発明は、請求項２または３に記載のネイルプリント装置において、
各前記デザインパーツのサイズデータは、前記デザイン画像を基準爪モデル上に配置した場合における各デザインパーツの面積と前記基準爪モデルの面積との相対的な面積比率により各前記デザインパーツのサイズを特定するものであり、
各前記デザインパーツの位置データは、前記基準爪モデルの横方向の長さ及び縦方向の長さを基準としたときの相対的な位置関係により前記各デザインパーツの位置を特定するものであって、
前記パーツレイアウト算出手段は、前記基準爪モデルの面積並びに横方向及び縦方向の長さ寸法を前記爪領域情報検出手段により検出された前記爪領域の面積並びに横方向及び縦方向の長さ寸法に置き換えて、各前記デザインパーツの前記印刷サイズ及び前記印刷位置を算出するものであることを特徴としている。
更に、請求項５に記載の発明は、請求項４に記載のネイルプリント装置において、
前記各デザインパーツの前記横方向の位置は、前記基準爪モデルを矩形の枠で囲い、前記デザインパーツをその左端が前記基準爪モデルの前記枠の左端に重なるように前記基準爪モデル上に配置したときに、前記デザインパーツの中心が配置される位置を０％とし、前記デザインパーツをその右端が前記基準爪モデルの前記枠の右端に重なるように前記基準爪モデル上に配置したときに、前記デザインパーツの中心が配置される位置を１００％としたときの相対的な位置であり、
前記各デザインパーツの前記縦方向の位置は、前記デザインパーツをその上端が前記基準爪モデルの前記枠の上端に重なるように前記基準爪モデル上に配置したときに、前記デザインパーツの中心が配置される位置を０％とし、前記デザインパーツをその下端が前記基準爪モデルの前記枠の下端に重なるように前記基準爪モデル上に配置したときに、前記デザインパーツの中心が配置される位置を１００％としたときの相対的な位置であることを特徴としている。
更に、請求項６に記載の発明は、請求項１乃至５に記載のネイルプリント装置において、
前記爪領域データ保持部に保持された、前記爪領域の面積のデータと、前記横方向の長さ寸法のデータと、前記縦方向の長さ寸法のデータと、はｄｏｔ数であることを特徴としている。
【００１０】
また、請求項７に記載の印刷制御方法は、
ユーザの指爪画像から抽出した爪領域の面積と横方向及び縦方向の長さ寸法とを検出する爪領域情報検出ステップと、
前記爪領域の面積のデータと、前記横方向の長さ寸法のデータと、前記縦方向の長さ寸法のデータと、を保持する爪領域データ保持ステップと、
ユーザにより選択された、サイズデータ、位置データ、イメージデータ、が対応付けられたデザインパーツを含むデザイン画像に含まれている前記デザインパーツの、前記サイズ及び前記位置と、前記爪領域情報検出ステップにおいて検出された前記爪領域の面積、横方向及び縦方向の長さ寸法とに基づいて、前記デザインパーツの印刷サイズ及び印刷位置を算出するパーツレイアウト算出ステップと、
を含んでいることを特徴としている。
【００１１】
また、請求項８に記載の発明は、請求項７に記載の印刷制御方法において、
前記デザイン画像を構成している前記デザインパーツは複数あり、
前記デザイン画像を構成している複数の前記デザインパーツ毎に、前記サイズデータ、前記位置データ、前記イメージデータ、が対応付けられて複数組記憶されている記憶手段と、
指を撮影して前記指爪画像を得る撮影ステップと、
を含んでいることを特徴としている。
また、請求項９に記載の発明は、請求項８に記載の印刷制御方法において、
前記パーツレイアウト算出ステップにおいて算出された各前記デザインパーツの前記印刷サイズ及び前記印刷位置と、前記記憶手段から読み出されたデザイン画像に含まれている各前記デザインパーツの前記イメージデータとに基づいて前記爪領域に印刷を施すための印刷用データを生成する印刷用データ生成ステップと、
前記印刷用データ生成ステップにおいて生成された前記印刷用データに従って前記爪領域に印刷を施す印刷ステップと、
を含んでいることを特徴としている。
更に、請求項１０に記載の発明は、請求項８または９に記載の印刷制御方法において、
各前記デザインパーツのサイズデータは、前記デザイン画像を基準爪モデル上に配置した場合における各前記デザインパーツの面積と前記基準爪モデルの面積との相対的な面積比率により各前記デザインパーツのサイズを特定するものであり、
各前記デザインパーツの位置データは、前記基準爪モデルの横方向の長さ及び縦方向の長さを基準としたときの相対的な位置関係により前記各デザインパーツの位置を特定するものであって、
前記パーツレイアウト算出ステップは、前記基準爪モデルの面積並びに横方向及び縦方向の長さ寸法を前記爪領域情報検出ステップにおいて検出された前記爪領域の面積並びに横方向及び縦方向の長さ寸法に置き換えて、各前記デザインパーツの前記印刷サイズ及び前記印刷位置を算出するものであることを特徴としている。
更に、請求項１１に記載の発明は、請求項１０に記載の印刷制御方法において、
各前記デザインパーツの前記横方向の位置は、前記基準爪モデルを矩形の枠で囲い、前記デザインパーツをその左端が前記基準爪モデルの前記枠の左端に重なるように前記基準爪モデル上に配置したときに、前記デザインパーツの中心が配置される位置を０％とし、前記デザインパーツをその右端が前記基準爪モデルの前記枠の右端に重なるように前記基準爪モデル上に配置したときに、前記デザインパーツの中心が配置される位置を１００％としたときの相対的な位置であり、
前記各デザインパーツの前記縦方向の位置は、前記デザインパーツをその上端が前記基準爪モデルの前記枠の上端に重なるように前記基準爪モデル上に配置したときに、前記デザインパーツの中心が配置される位置を０％とし、前記デザインパーツをその下端が前記基準爪モデルの前記枠の下端に重なるように前記基準爪モデル上に配置したときに、前記デザインパーツの中心が配置される位置を１００％としたときの相対的な位置であることを特徴としている。
更に、請求項１２に記載の発明は、請求項７乃至１１に記載の印刷制御方法において、
前記爪領域データ保持ステップにより保持された、前記爪領域の面積をｄｏｔ数で表したデータと、前記横方向の長さ寸法のデータと、前記縦方向の長さ寸法のデータと、はｄｏｔ数で表したデータであることを特徴としている。
【発明の効果】
【００１２】
請求項１乃至請求項３、請求項７乃至請求項９に記載の発明によれば、爪領域Ｔａに印刷する複数のデザインパーツから構成されているデザイン画像のデータが、個々のデザインパーツ毎にサイズデータ、位置データ、イメージデータが対応付けられた形で記憶されており、ユーザの爪領域の爪領域の面積並びに横方向及び縦方向の長さ寸法に応じて、デザイン画像の大きさや形状を調整する際に、各デザインパーツ毎にその印刷サイズ、印刷位置を算出することができる。このため、デザイン画像全体を一つのデータとして保持してデザイン画像全体の縮尺率を変えて印刷用データを生成する場合と異なり、各デザインパーツの形状が崩れたり、各デザインパーツ間の位置関係、各デザインパーツと爪領域の端部との位置関係が変わるのを防ぐことができ、ユーザが選択したデザイン画像をそのイメージに近い形でユーザの爪領域に印刷することができるとの効果を奏する。
また、請求項４及び請求項１０に記載の発明によれば、各デザインパーツのサイズデータを基準爪モデルの面積との相対的な面積比率とし、各デザインパーツの位置データについても基準爪モデルの横方向の長さ及び縦方向の長さを基準としたときの相対的な位置関係を示す値としている。このため、基準爪モデルの面積及び横方向及び縦方向の長さ寸法を爪領域情報検出手段により検出されたユーザの爪領域の面積及び横方向及び縦方向の長さ寸法に置き換えることにより、当該ユーザの爪領域に応じた印刷サイズ、印刷位置を容易に算出することができ、様々な大きさや形状の爪領域に簡易に対応することができるとの効果を奏する。
【図面の簡単な説明】
【００１３】
【図１】本発明に係るネイルプリント装置の一実施形態を概念的に示した斜視図で、        蓋体を開いた状態を示している。
【図２】図１のネイルプリント装置の装置本体を概念的に示した斜視図である。
【図３】図１のネイルプリント装置の印刷指固定手段を示した断面図で、印刷指とし        て人差し指から小指を印刷指挿入部に挿入した際の固定態様を示している。
【図４】図１のネイルプリント装置の正面側の断面図である。
【図５】図１のネイルプリント装置の側断面図である。
【図６】デザイン選択画面の一例を示す図である。
【図７】デザイン確認用画面の一例を示す図である。
【図８】本実施形態に係るネイルプリント装置の制御構成を示した要部ブロック図で        ある。
【図９】基準爪モデル上にデザイン画像ｅを配置した図である。
【図１０】デザイン画像ｅのデータ構成例を示す図である。
【図１１】デザイン画像ｅのＮｏ．１のデザインパーツの横方向及び縦方向の０％位        置及び１００％位置の定め方を説明する説明図である。
【図１２】デザイン画像ｅのＮｏ．３のデザインパーツの横方向及び縦方向の０％位        置及び１００％位置の定め方を説明する説明図である。
【図１３】基準爪モデル上にデザイン画像ｂを配置した図である。
【図１４】デザイン画像ｂのデータ構成例を示す図である。
【図１５】本実施形態における印刷制御処理を示すフローチャートである。
【図１６】爪領域の一例を示す図である。
【図１７】図１６の爪領域の爪領域情報のデータ構成例を示す図である。
【図１８】細長い形状の爪領域上にデザイン画像ｅを配置した図である。
【図１９】図１８におけるデザイン画像ｅのＮｏ．１のデザインパーツの横方向及び        縦方向の０％位置及び１００％位置の定め方を説明する説明図である。
【図２０】図１８におけるデザイン画像ｅのＮｏ．３のデザインパーツの横方向及び        縦方向の０％位置及び１００％位置の定め方を説明する説明図である。
【図２１】幅広い形状の爪領域上にデザイン画像ｅを配置した図である。
【図２２】図２１におけるデザイン画像ｅのＮｏ．１のデザインパーツの横方向及び        縦方向の０％位置及び１００％位置の定め方を説明する説明図である。
【図２３】図２１におけるデザイン画像ｅのＮｏ．３のデザインパーツの横方向及び        縦方向の０％位置及び１００％位置の定め方を説明する説明図である。
【発明を実施するための形態】
【００１４】
図１から図２３を参照しつつ、本発明に係るネイルプリント装置の一実施形態について説明する。
図１は、本実施形態におけるネイルプリント装置の外観を示す斜視図であり、図２は、ネイルプリント装置の内部構成を示す斜視図である。
【００１５】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１６】
上記ケース本体２は平面視で長円状に形成されている。このケース本体２には前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の天板２ｆには後述する操作盤１２が設置されており、天板２ｆのほぼ中央部には表示部１３が設定されている。
なお、ケース本体２及び蓋体４の形状、構成はここに例示したものに限定されない。
【００１７】
また、ケース本体２にはネイルプリント装置１の装置本体１０が収容されている。この装置本体１０は、図２に示す印刷指固定手段を構成している印刷指固定部２０、撮影手段を構成している撮影部３０、印刷手段を構成している印刷部４０及び制御手段を構成している制御装置５０（図８参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置され、上部機枠１１ｂは下部機枠１１ａの上方で且つケース本体２の内部上方に設置されている。
【００１８】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
ここで、印刷指挿入部２０ａは、印刷しようとする爪Ｔに対応する指（以下「印刷指」という。）Ｕ１を挿入するめための指挿入部である（図３参照）。印刷指挿入部２０ａの底面（印刷指載置面）は、印刷指Ｕ１を載置する指載置手段として機能する。印刷指Ｕ１の撮影や印刷は、印刷指Ｕ１がこの指載置手段としての印刷指挿入部２０ａの印刷指載置面に載置された状態で行われる。
また、非印刷指挿入部２０ｂは、印刷指以外の指（以下「非印刷指」という。）Ｕ２を挿入するための指挿入部である（図３参照）。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００１９】
この隔壁２１の上面は平坦な印刷指載置面を構成している。この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで隔壁２１（掴み部２０ｃ）を強く挟持することができるように、指挿入方向の断面が、隔壁２１の下面から下方に向けて膨出するように円形となっている。なお、膨出部２２の形状は、断面円形に限定されることなく、断面楕円形，多角形等の非円形であってもよい。
【００２０】
例えば、左手の親指以外の４本の指（人差し指、中指、薬指及び小指）が印刷指Ｕ１となる場合には、図３に示すように、ユーザは印刷指挿入部２０ａに４本の印刷指Ｕ１を挿入し、非印刷指挿入部２０ｂに非印刷指Ｕ２である親指を挿入する。この場合、ユーザが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
また、親指のみが印刷指Ｕ１となる場合には、親指（印刷指Ｕ１）を印刷指挿入部２０ａに挿入さし、親指以外の４本の指（非印刷指Ｕ２）を非印刷指挿入部２０ｂに挿入する。この場合にも、ユーザが印刷指Ｕ１と非印刷指Ｕ２とで掴み部２０ｃを挟持することで印刷指Ｕ１が固定される。
【００２１】
また、図４は、本実施形態に係るネイルプリント装置１の正面側の断面図であり、図５は、ネイルプリント装置１の側断面図である。
図４及び図５に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
この撮影部３０は、指載置手段である印刷指挿入部２０ａに載置された印刷指Ｕ１を照明灯３３によって照明し、カメラ３２によってその印刷指Ｕ１を撮影して、指爪画像を得る撮影手段であり、この撮影部３０は、後述する制御装置５０の本体制御部５２に接続され、該本体制御部５２によって制御されるようになっている。
【００２２】
また、印刷部４０は、爪領域Ｔａの座標値に基づく印刷用データに従って印刷対象領域である爪領域Ｔａ（図７等参照）に色や模様等の印刷を施す印刷手段であり、主に上部機枠１１ｂに設けられている。
すなわち、図４及び図５に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
本実施形態において、この印刷ヘッド４６は、インクを微滴化し、被印字媒体に対し直接に吹き付けて印刷を行うインクジェット方式の印刷ヘッドである。なお、印刷ヘッド４６の記録方式はインクジェット方式に限定されない。
【００２３】
主キャリッジ４２は動力伝達手段（図示せず）を介してモータ４３に連結され、モータ４３の正逆回転によって、ガイドロッド４１に沿って左右方向に移動ように構成されている。また、副キャリッジ４５は動力伝達手段（図示せず）を介してモータ４７に連結され、モータ４７の正逆回転によって、ガイドロッド４４に沿って前後方向に移動するように構成されている。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２４】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の本体制御部５２に接続され、該本体制御部５２によって制御されるようになっている。
【００２５】
操作盤１２は、ユーザが各種入力を行うための入力手段である。
操作盤１２には、例えば、ネイルプリント装置１の電源をＯＮする電源スイッチ釦、動作を停止させる停止スイッチ釦、その他各種の入力を行うための操作釦１２１が配置されている。
本実施形態では、操作釦１２１の内の一つは、後述する記憶部５１のデザインデータ保持部５１１に記憶されている複数のデザイン画像の中から一つのデザイン画像を選択するデザイン選択手段として機能する。すなわち、表示部１３には、図６に示すようにデザイン選択画面１３１が表示されるようになっており、ユーザは、所望のデザイン画像に対応するアルファベットを操作釦１２１によって選択することにより、印刷されるデザイン画像が選択される。
【００２６】
表示部１３は、例えば液晶パネル（液晶ディスプレイ（ＬＣＤ：Liquid Crystal Display））等で構成された表示手段である。
なお、表示部１３の表面に、タッチパネルが一体的に構成されていてもよい。この場合には、図示しないスタイラスペンや指先等によるタッチ操作により、表示部１３の表面をタッチすることによっても各種の入力を行うことができるように構成される。
【００２７】
表示部１３には、例えば、印刷指Ｕ１を撮影した指爪画像やその中の爪領域Ｔａ、印刷指Ｕ１の爪領域Ｔａに印刷すべきネイル画像パターン、デザイン確認用のサムネイル画像等が表示されるようになっている。
また、表示部１３には、前述のように、図６に示すデザイン選択画面１３１が表示されるようになっている。本実施形態では、デザイン画像としてデザイン画像ａからデザイン画像ｅの５種類が選択可能となっており、デザイン選択画面１３１には、例えば、ａからｅのデザイン画像が並べて表示される。
なお、表示部１３の表面に、タッチパネルが一体的に構成されている場合には、ユーザが所望のデザイン画像をタッチするだけで、そのデザイン画像が印刷されるデザイン画像として選択されるようにしてもよい。
【００２８】
また、表示部１３には、図７に示すようなデザイン確認用画面１３２が表示される。デザイン確認用画面１３２は、ユーザの指爪画像の爪領域Ｔａにユーザが選択したデザイン画像を重畳したものである。このデザイン確認用画面１３２において表示されるデザイン画像は、後述する制御装置５０において、ユーザの爪領域Ｔａに合うように、その全体のサイズや各デザインパーツｄｐの印刷サイズ及び印刷位置が調整されたものであり、ユーザはこのデザイン確認用画面１３２により、最終的な印刷イメージを確認することができる。ユーザはこのデザイン確認用画面１３２によって爪領域Ｔａに施される印刷の最終的なデザインを確認して、そのまま印刷を開始してよければ、印刷の開始（実行）を指示する操作釦１２１を操作する。また、デザイン画像を変更した場合には、変更を指示する操作釦１２１を操作することにより、デザイン選択画面１３１（図６参照）に戻ることができる。
なお、表示部１３の表面に、タッチパネルが一体的に構成されている場合には、ユーザがデザイン確認用画面１３２をタッチしたり、当該画面上にＯＫ釦等の操作釦１２１を表示させて、これをタッチするだけで、そのデザイン画像を印刷する処理が開始されるようにしてもよい。
【００２９】
また、制御装置５０は、例えば上部機枠１１ｂに配置された基板３１等に設置されている。図８は、本実施形態における制御構成を示す要部ブロック図である。
【００３０】
制御装置５０は、図示しないＣＰＵ（Central Processing Unit）の他、ＲＯＭ（Read Only Memory）、ＲＡＭ（Random Access Memory)等（全て図示せず）で構成される記憶部５１を備えるコンピュータである。
【００３１】
記憶部５１には、爪領域を抽出するための爪領域抽出プログラム、デザインパーツの印刷サイズや印刷位置を算出するためのパーツレイアウト算出プログラム、印刷用のデータを生成するための印刷用データ生成プログラム、印刷処理を行うための印刷プログラム等の各種プログラムが格納されており、制御装置５０はこれらのプログラムを実行してネイルプリント装置１の各部を制御するようになっている。
【００３２】
また、本実施形態において記憶部５１には、デザイン画像に関するデータを記憶するデザインデータ保持部５１１が設けられている。
デザインデータ保持部５１１は、複数のデザインパーツｄｐから構成され、個々のデザインパーツｄｐ毎にサイズデータ、位置データ、イメージデータが対応付けられているデザイン画像を複数組記憶している記憶手段である。
【００３３】
図９は図６におけるデザイン画像ｅの構成例を示した説明図であり、図１０は、図９に示すデザイン画像ｅに関するデータの構成例を示す表である。
デザイン画像ｅはＮｏ．１からＮｏ．４の４つのデザインパーツｄｐから構成されており、図１０に示すように、各デザインパーツｄｐ毎にそのサイズデータ、位置データ、イメージデータが対応付けられてデザインデータ保持部５１１に記憶されている。
【００３４】
各デザインパーツｄｐのサイズデータは、当該デザイン画像を理想形状の爪領域（基準爪モデル）上に配置した場合における各デザインパーツｄｐの面積と基準爪モデルの面積との相対的な面積比率であり、基準爪モデルの面積を１００％としたときの各デザインパーツｄｐの面積比率により各デザインパーツのサイズを特定するものである。例えば、基準爪モデルの面積を１００％としたときにＮｏ．１のデザインパーツｄｐのサイズは２０％であり、Ｎｏ．２のデザインパーツｄｐのサイズは２８％である。
【００３５】
各デザインパーツｄｐの位置データは、基準爪モデルの横方向（ｘ軸方向）の長さ及び縦方向（ｙ軸方向）の長さを基準としたときの相対的な位置関係により各デザインパーツｄｐの位置を特定するものである。
図１１及び図１２に示すように、本実施形態において、各デザインパーツｄｐの横方向（ｘ軸方向）の位置は、基準爪モデルの上下左右を枠で囲い、デザインパーツｄｐをその左端が基準爪モデルの枠の左端に重なるように基準爪モデル上に配置したときに、デザインパーツｄｐの中心が配置される位置を０％とし、デザインパーツｄｐをその右端が基準爪モデルの枠の右端に重なるように基準爪モデル上に配置したときに、デザインパーツｄｐの中心が配置される位置を１００％としたときの相対的な位置である。
また、各デザインパーツｄｐの縦方向（ｙ軸方向）の位置は、同様に、デザインパーツｄｐをその上端が基準爪モデルの枠の上端に重なるように基準爪モデル上に配置したときに、デザインパーツｄｐの中心が配置される位置を０％とし、デザインパーツｄｐをその下端が基準爪モデルの枠の下端に重なるように基準爪モデル上に配置したときに、デザインパーツｄｐの中心が配置される位置を１００％としたときの相対的な位置である。
【００３６】
なお、横方向（ｘ軸方向）の位置及び縦方向（ｙ軸方向）の位置における０％となる位置及び１００％となる位置は、各デザインパーツｄｐのサイズによって変更される。
すなわち、図１１及び図１２に示すように、デザインパーツｄｐのサイズによって、デザインパーツｄｐの中心から端部までの距離が異なり、サイズの小さなデザインパーツｄｐ（例えば図９及び図１０におけるＮｏ．１とＮｏ．４のデザインパーツｄｐ）の場合には、デザインパーツｄｐの中心から端部までの距離が短くなり、０％となる位置及び１００％となる位置は、基準爪モデルの枠の端部に近い位置となる（図１１参照）。他方、サイズの大きなデザインパーツｄｐ（例えば図９及び図１０におけるＮｏ．２とＮｏ．３のデザインパーツｄｐ）の場合には、サイズの小さなデザインパーツｄｐよりもデザインパーツｄｐの中心から端部までの距離が長くなり、０％となる位置及び１００％となる位置は、基準爪モデルの枠の端部から離れた位置となる（図１２参照）。
【００３７】
なお、図９では、Ｎｏ．１のデザインパーツｄｐについての横方向（ｘ軸方向）及び縦方向（ｙ軸方向）の０％から１００％の範囲における相対的な位置を一点鎖線で示し、Ｎｏ．３のデザインパーツｄｐについての横方向（ｘ軸方向）及び縦方向（ｙ軸方向）の０％から１００％の範囲における相対的な位置を二点鎖線で示している。
図９及び図１０に示すように、本実施形態におけるデザイン画像ｅを構成するデザインパーツｄｐのうち、Ｎｏ．１のデザインパーツｄｐは、基準爪モデル上において、横方向（ｘ軸方向）が５０％であり、縦方向（ｙ軸方向）が１５％の位置に配置される。また、Ｎｏ．３のデザインパーツｄｐは、基準爪モデル上において、横方向（ｘ軸方向）が８０％であり、縦方向（ｙ軸方向）が７０％の位置に配置される。
【００３８】
また、イメージデータは、各デザインパーツｄｐの絵柄自体のデータであり、例えば花柄や桜柄（例えばデザイン画像ｂの場合）、雪の結晶柄（例えばデザイン画像ａの場合）等の画像データが、ビットマップデータ（ｂｍｐ）として記憶されているものである。なお、イメージデータのデータ形式はビットマップデータ（ｂｍｐ）に限定されず、その他のデータ形式で記憶されていてもよい。
【００３９】
例えば、図１３は図６におけるデザイン画像ｂの構成例を示した説明図であり、図１４は、図１３に示すデザイン画像ｂに関するデータの構成例を示す表である。
デザイン画像ｂはＮｏ．１からＮｏ．３の３つのデザインパーツｄｐから構成されており、図１４に示すように、各デザインパーツ毎にそのサイズデータ、位置データ、イメージデータが対応付けられてデザインデータ保持部５１１に記憶されている。
【００４０】
なお、図１３では、Ｎｏ．１のデザインパーツｄｐについての横方向（ｘ軸方向）及び縦方向（ｙ軸方向）の０％から１００％の範囲における相対的な位置を一点鎖線で示し、Ｎｏ．３のデザインパーツｄｐについての横方向（ｘ軸方向）及び縦方向（ｙ軸方向）の０％から１００％の範囲における相対的な位置を二点鎖線で示している。
なお、各デザインパーツｄｐにおける横方向（ｘ軸方向）の位置及び縦方向（ｙ軸方向）の位置における０％となる位置及び１００％となる位置の定め方については、デザイン画像ｅの場合（図１１及び図１２参照）と同様であるため、その説明を省略する。
【００４１】
図１３及び図１４に示すように、本実施形態におけるデザイン画像ｂを構成するデザインパーツｄｐのうち、Ｎｏ．１のデザインパーツｄｐは、イメージデータが桜柄であり、サイズは３０％である。また、基準爪モデル上において、横方向（ｘ軸方向）が８％であり、縦方向（ｙ軸方向）が７０％の位置に配置される。
また、Ｎｏ．３のデザインパーツｄｐは、イメージデータが花ｂ柄であり、サイズは３４％である。また、基準爪モデル上において、横方向（ｘ軸方向）が７５％、縦方向（ｙ軸方向）が１２％の位置に配置される。
【００４２】
さらに、本実施形態において記憶部５１には、撮影部３０によって取得されたユーザの印刷指Ｕ１の指爪画像から抽出された爪領域Ｔａ（図１６参照）の爪領域情報である爪領域Ｔａの面積と横方向及び縦方向の長さ寸法を記憶する爪領域データ保持部５１２が設けられている。なお、図１６では、図示の便宜上、印刷指Ｕ１の全体を二点鎖線で表している。
【００４３】
図１７は、爪領域データ保持部５１２において保持される爪領域情報の一例を示す図である。本実施形態において、爪領域Ｔａの面積（Ｓ）は、図１７に示すように、爪領域Ｔａの面積を、爪領域Ｔａを構成するドット数で表したものである。本実施形態では、爪領域Ｔａが２１５９３ドット（ｄｏｔ）で構成されている場合を例示している。
また、図１６及び図１７に示すように、横方向の長さ寸法（横幅：Ｗ）は、爪領域Ｔａの横方向（ｘ軸方向）の長さ寸法をドット数で表したものであり、本実施形態では、爪領域Ｔａの横方向のドット数が１１５ドット（ｄｏｔ）である場合を例示している。
また、図１６及び図１７に示すように、縦方向の長さ寸法（縦幅：Ｈ）は、爪領域Ｔａの縦方向（ｙ軸方向）の長さ寸法をドット数で表したものであり、本実施形態では、爪領域Ｔａの縦方向のドット数が２１１ドット（ｄｏｔ）である場合を例示している。
【００４４】
本実施形態において制御装置５０は、本体制御部５２、爪領域情報検出部５３、パーツレイアウト算出手段５４、印刷用データ生成部５５等の機能部を含んでいる。
【００４５】
本体制御部５２は、ネイルプリント装置１の全体を統括制御する機能部である。
本実施形態では、本体制御部５２は、撮影部３０を制御してユーザの印刷指Ｕ１を撮影させ、指爪画像を取得させる。また、本体制御部５２は、後述する印刷用データ生成部５５によって生成された印刷用のデータを印刷部４０に出力して、この印刷用データにしたがって爪領域Ｔａに印刷を施すように印刷部４０を制御する印刷制御手段として機能する。
【００４６】
爪領域情報検出部５３は、撮影部４０よって取得された指爪画像から爪領域Ｔａを抽出し、この爪領域Ｔａの面積（Ｓ）、横方向（ｘ軸方向）の長さ寸法（Ｗ）、縦方向（ｙ軸方向）の長さ寸法（Ｈ）を検出する爪領域情報検出手段である。
爪領域情報検出部５３による検出結果は、記憶部５１の爪領域データ保持部５１２に送られ、記憶される。
【００４７】
パーツレイアウト算出部５４は、操作盤１２の操作釦１２１等のデザイン選択手段により選択された一つのデザイン画像を記憶部５１のデザインデータ保持部５１１から読み出して、この読み出されたデザイン画像に含まれている各デザインパーツｄｐのサイズデータ及び位置データと、爪領域情報検出部５３により検出された爪領域Ｔａの面積並びに横方向及び縦方向の長さ寸法とに応じて、各デザインパーツｄｐの印刷サイズ及び印刷位置を算出するパーツレイアウト算出手段である。
パーツレイアウト算出部５４は、基準爪モデルの面積及び横方向及び縦方向の長さ寸法を爪領域情報検出部５３により検出されたユーザの印刷指Ｕ１の爪領域Ｔａの面積及び横方向及び縦方向の長さ寸法に置き換えて、各デザインパーツｄｐの印刷サイズ及び印刷位置を算出する。
【００４８】
すなわち、例えば、デザイン画像ｅのＮｏ．１のデザインパーツｄｐの基準爪モデル上におけるサイズは２０％であるので、パーツレイアウト算出部５４は、印刷指Ｕ１の爪領域Ｔａの面積（Ｓ）に対して２０％となる大きさ（ｄｏｔ数）を算出し、これが当該デザインパーツｄｐの印刷サイズとなる。
【００４９】
また、Ｎｏ．１のデザインパーツｄｐは、基準爪モデル上において、横方向（ｘ軸方向）が５０％であり、縦方向（ｙ軸方向）が１５％の位置に配置されるものであるため、パーツレイアウト算出部５４は、印刷指Ｕ１の爪領域Ｔａにおける横方向（ｘ軸方向）が５０％、縦方向（ｙ軸方向）が１５％となる位置を算出する。
ここで、０％となる位置及び１００％となる位置は、当該デザインパーツｄｐのサイズに応じて変化するため、まず、印刷指Ｕ１の爪領域Ｔａの上下左右を枠で囲い、上記のようにして算出された印刷サイズのデザインパーツｄｐを、その左端が爪領域Ｔａの枠の左端に重なるように爪領域Ｔａ上に配置し、このときに、デザインパーツｄｐの中心が配置される位置を０％とする。また、デザインパーツｄｐをその右端が爪領域Ｔａの枠の右端に重なるように爪領域Ｔａ上に配置したときに、デザインパーツｄｐの中心が配置される位置を１００％とする。同様に、縦方向（ｙ軸方向）についても、０％の位置及び１００％の位置を定める。
そして、Ｎｏ．１のデザインパーツｄｐの場合には、横方向（ｘ軸方向）は、爪領域Ｔａ上における０％から１００％の範囲における５０％の位置にデザインパーツｄｐの中心が位置するように配置される。また、縦方向（ｙ軸方向）は、爪領域Ｔａ上における０％から１００％の範囲における１５％の位置にデザインパーツｄｐの中心が位置するように配置される。
【００５０】
図１８から図２０は、ユーザの印刷指Ｕ１の爪領域Ｔａが基準爪モデルよりも細長い形状をしている場合における各デザインパーツｄｐの印刷サイズ及び印刷位置の定め方を示す説明図である。
この場合、パーツレイアウト算出部５４は、まず、爪領域Ｔａの面積にしたがって、各デザインパーツｄｐの印刷サイズが算出される。次に、算出された印刷サイズのデザインパーツｄｐを爪領域Ｔａ上に配置して、各デザインパーツｄｐ毎の、上下左右の０％の位置及び１００％の位置を算出する（デザイン画像ｅのＮｏ．１及びＮｏ．４のデザインパーツｄｐについて図１８参照。Ｎｏ．２及びＮｏ．３のデザインパーツｄｐについて図１９参照。）。そして、算出された印刷サイズのデザインパーツｄｐを爪領域Ｔａ上の算出された印刷位置にそれぞれ配置する（図２０参照）。
これにより、ユーザの爪領域Ｔａが基準爪モデルよりも細長い形状である場合でも、基準爪モデル上に配置されていたときとほぼ同じレイアウトとなるように各デザインパーツｄｐを配置することができる。
【００５１】
図２１から図２３は、ユーザの印刷指Ｕ１の爪領域Ｔａが基準爪モデルよりも縦の長さが短く幅広の形状をしている場合における各デザインパーツｄｐの印刷サイズ及び印刷位置の定め方を示す説明図である。
この場合、パーツレイアウト算出部５４は、まず、爪領域Ｔａの面積にしたがって、各デザインパーツｄｐの印刷サイズが算出される。次に、算出された印刷サイズのデザインパーツｄｐを爪領域Ｔａ上に配置して、各デザインパーツｄｐ毎の、上下左右の０％の位置及び１００％の位置を算出する（デザイン画像ｅのＮｏ．１及びＮｏ．４のデザインパーツｄｐについて図２１参照。Ｎｏ．２及びＮｏ．３のデザインパーツｄｐについて図２２参照。）。そして、算出された印刷サイズのデザインパーツｄｐを爪領域Ｔａ上の算出された印刷位置にそれぞれ配置する（図２３参照）。
これにより、ユーザの爪領域Ｔａが基準爪モデルよりも縦の長さが短く幅広の形状である場合でも、基準爪モデル上に配置されていたときとほぼ同じレイアウトとなるように各デザインパーツｄｐを配置することができる。
【００５２】
印刷用データ生成部５５は、パーツレイアウト算出部５４により算出された各デザインパーツｄｐの印刷サイズ及び印刷位置と、これら各デザインパーツｄｐのイメージデータとに基づいてユーザの爪領域Ｔａに印刷を施すための印刷用データを生成する印刷用データ生成手段である。
印刷用データ生成部５５において生成された印刷用データは本体制御部５２に出力される。
本体制御部５２は、この印刷用データをユーザの指爪画像の爪領域Ｔａに重畳した画像をデザイン確認用画面１３２として表示部１３に表示させる。また、本体制御部５２は、この印刷用データを印刷部４０に出力することにより、印刷用データに従って爪領域Ｔａに印刷を施すように印刷部４０を制御する。
【００５３】
次に、図１５を参照しつつ、本実施形態におけるネイルプリント装置１による印刷制御方法について説明する。
このネイルプリント装置１により印刷を行う場合、ユーザはまず、電源スイッチを入れて制御装置５０を起動させる。
図１５に示すように、本体制御部５２は、表示部１３にデザイン選択画面１３１（図６参照）を表示させ（ステップＳ１）、ユーザは操作盤１２の操作釦１２１等を操作して、デザイン選択画面１３１に表示された複数のデザイン画像の中から所望のデザイン画像を選択することにより、操作盤１２から選択指示信号が出力されて一つのデザイン画像が選択される（ステップＳ２）。
【００５４】
次に、ユーザは、印刷指Ｕ１を印刷指挿入部２０ａに挿入し、非印刷指Ｕ２を非印刷指挿入部２０ｂに挿入して、印刷指Ｕ１を固定した上で、印刷スイッチを操作する。
例えば、左手の人差し指、中指、薬指及び小指の爪領域Ｔａに印刷を施したい場合には、図３に示すように、印刷指挿入部２０ａに人差し指、中指、薬指及び小指を平面的に並べて挿入し、非印刷指挿入部２０ｂに親指を挿入する。そして、印刷指挿入部２０ａに挿入した人差し指、中指、薬指及び小指と非印刷指挿入部２０ｂに挿入した親指とで掴み部２０ｃを挟持する。これによって、印刷指Ｕ１である人差し指、中指、薬指及び小指が固定される。
【００５５】
制御装置５０は、表示部１３の印刷スイッチから指示が入力されると、印刷動作を開始する前に、まず撮影部３０を制御して、印刷指Ｕ１全体を撮影させる。これにより、印刷指Ｕ１の指爪画像が取得される（ステップＳ３）。爪領域情報検出部５３は、この指爪画像から印刷対象領域となる爪領域Ｔａを抽出し（ステップＳ４、図１６参照）、この爪領域Ｔａの面積（Ｓ）、横方向（ｘ軸方向）の長さ寸法（Ｗ）、縦方向（ｙ軸方向）の長さ寸法（Ｈ）を検出する（ステップＳ５）。爪領域情報検出部５３による検出結果は、記憶部５１の爪領域データ保持部５１２に送られ、記憶される（図１７参照）。
【００５６】
次に、パーツレイアウト算出部５４は、ステップＳ２において選択されたデザイン画像に含まれている各デザインパーツｄｐの各データ（図１０参照）をデザインデータ保持部５１１から読み出して（ステップＳ６）、この読み出されたデザイン画像に含まれている各デザインパーツｄｐのサイズデータ及び２つの位置データと、前述した爪領域情報検出部５３により検出されたユーザの印刷指Ｕ１の爪領域Ｔａの面積、横方向及び縦方向の長さ寸法とに基づいて、各デザインパーツｄｐの印刷サイズ及び印刷位置を算出する（ステップＳ７、図１８から図２０参照）。
【００５７】
さらに、印刷用データ生成部５５は、このパーツレイアウト算出部５４により算出された各デザインパーツｄｐの印刷サイズ及び印刷位置と、前述したデザインデータ保持部５１１から読み出されたデザイン画像に含まれている各デザインパーツｄｐのイメージデータ（ステップＳ６）とに基づいて、ユーザの爪領域Ｔａに印刷を施すための印刷用データを生成する（ステップＳ８）。
【００５８】
印刷用データ生成部５５において生成された印刷用データは本体制御部５２に出力され、本体制御部５２は、この印刷用データをユーザの指爪画像の爪領域Ｔａに重畳した画像をデザイン確認用画面１３２（図７参照）として表示部１３に表示させる（ステップＳ９）。ユーザは、このデザイン確認用画面１３２を見て最終的な印刷イメージを確認し、この印刷イメージで印刷してよい場合には、操作盤１２のＯＫ釦等の操作釦１２１を操作して印刷開始指示を入力する。本体制御部５２は、印刷開始指示が入力されたか否かを判断し（ステップＳ１０）、印刷開始指示が入力されたと判断する場合（ステップＳ１０；ＹＥＳ）には、印刷用データを印刷部４０に出力して、印刷用データに従って爪領域Ｔａに印刷を施すように印刷部４０を制御する。これにより、印刷部４０による印刷処理が開始される（ステップＳ１１）。
他方、ユーザがＯＫ釦等を操作せず、本体制御部５２が印刷開始指示が入力されないと判断する場合（ステップＳ１０；ＮＯ）には、本体制御部５２は、ステップＳ１に戻って、再度デザイン選択画面１３１を表示部１３に表示させ、以降の処理を繰り返す。
【００５９】
なお、ここでは、１本の印刷指Ｕ１に対する対応について述べたが、本実施形態のように、例えば４本等、複数の印刷指Ｕ１に対して同時に印刷処理を行う場合には、以上の処理を各印刷指Ｕ１についてそれぞれ繰り返すことにより、全ての印刷指Ｕ１について印刷処理を行う。
【００６０】
以上のように、本実施形態におけるネイルプリント装置１によれば、爪領域Ｔａに印刷するデザイン画像のデータが、複数のデザインパーツｄｐから構成されており、個々のデザインパーツｄｐ毎にサイズデータ、位置データ、イメージデータが対応付けられた形でデザインデータ保持部５１１に記憶されており、ユーザの爪領域Ｔａの面積や形状（例えば縦方向の長さが長い（図２０参照）、横幅が広い（図２３参照）等）に合わせて、デザイン画像の大きさや形状を調整する際に、各デザインパーツｄｐ毎にその印刷サイズ、印刷位置を算出することができる。このため、デザイン画像全体を一つのデータとして保持してデザイン画像全体の縮尺率を変えて印刷用データを生成する場合と異なり、各デザインパーツｄｐの形状が崩れたり、各デザインパーツｄｐ間の位置関係、各デザインパーツｄｐと爪領域Ｔａの端部との位置関係が変わるのを防ぐことができ、ユーザがデザイン選択画面１３１で選択したデザイン画像をできるだけそのイメージに近い形でユーザの爪領域Ｔａに印刷することができる。
また、各デザインパーツｄｐのサイズデータは、デザイン画像を基準爪モデル上に配置した場合における各デザインパーツｄｐの面積と基準爪モデルの面積との相対的な面積比率により各デザインパーツｄｐのサイズを特定するものであり、各デザインパーツｄｐの位置データは、基準爪モデルの横方向の長さ及び縦方向の長さを基準としたときの相対的な位置関係により前記各デザインパーツｄｐの位置を特定するものであって、パーツレイアウト算出部５４は、基準爪モデルの面積及び横方向及び縦方向の長さ寸法を爪領域情報検出部５３により検出されたユーザの爪領域Ｔａの面積及び横方向及び縦方向の長さ寸法に置き換えて、各デザインパーツｄｐの印刷サイズ及び印刷位置を算出するため、どのような面積や形状の爪領域Ｔａであっても、各デザインパーツｄｐの当該爪領域Ｔａに占める面積割合、相対位置を算出することで、簡易に各デザインパーツｄｐの印刷サイズ、印刷位置を算出することができる。
【００６１】
なお、本実施形態では、各デザインパーツｄｐの横方向（ｘ軸方向）の位置は、基準爪モデル（または爪領域Ｔａ）の上下左右を枠で囲い、デザインパーツｄｐをその左端が基準爪モデルの枠の左端に重なるように基準爪モデル（または爪領域Ｔａ）上に配置したときに、デザインパーツｄｐの中心が配置される位置を０％とし、デザインパーツｄｐをその右端が基準爪モデル（または爪領域Ｔａ）の枠の右端に重なるように基準爪モデル（または爪領域Ｔａ）上に配置したときに、デザインパーツｄｐの中心が配置される位置を１００％としたときの相対的な位置としたが、各デザインパーツｄｐの横方向（ｘ軸方向）の位置を定める基準となる０％の位置及び１００％の位置の定め方はここに例示したものに限定されない。
例えば、デザインパーツｄｐをその左端が基準爪モデルの枠の左端に重なるように基準爪モデル（または爪領域Ｔａ）上に配置したときに、デザインパーツｄｐの左端が配置される位置を０％とし、デザインパーツｄｐをその右端が基準爪モデル（または爪領域Ｔａ）の枠の右端に重なるように基準爪モデル（または爪領域Ｔａ）上に配置したときに、デザインパーツｄｐの右端が配置される位置を１００％と定めてもよい。
各デザインパーツｄｐの縦方向（ｙ軸方向）の位置を定める基準となる０％の位置及び１００％の位置の定め方についても同様である。
【００６２】
また、本実施形態では、爪領域Ｔａのデータとして、面積（Ｓ）をｄｏｔ数で表したもの、横方向（ｘ軸方向）の長さ寸法（Ｗ）及び縦方向（ｙ軸方向）の長さ寸法（Ｈ）をｄｏｔ数で表したものを保持するものとしたが、面積（Ｓ）、横方向（ｘ軸方向）の長さ寸法（Ｗ）及び縦方向（ｙ軸方向）の長さ寸法（Ｈ）のデータの持ち方はｄｏｔ数で表したものに限定されない。
【００６３】
また、本実施形態では、デザインデータ保持部５１１、爪領域データ保持部５１２が制御装置５０の記憶部５１内に設けられている場合を例としたが、デザインデータ保持部５１１、爪領域データ保持部５１２は制御装置５０の記憶部５１に設けられている場合に限定されず、別途記憶部が設けられていてもよい。
【００６４】
また、本実施形態では、４本の指に対して同時に印刷を行うことのできるネイルプリント装置１を例としたが、指を１本ずつ装置に挿入して順次印刷を行う装置に本発明を適用することも可能である。
【００６５】
その他、本発明が本実施形態に限定されず、適宜変更可能であることはいうまでもない。
【符号の説明】
【００６６】
１      ネイルプリント装置
２      ケース本体
２０ａ  印刷指挿入部
３０    撮影部
４０    印刷部
５０    制御装置
５１    記憶部
５２    本体制御部
５３    爪領域情報検出部
５４    パーツレイアウト算出部
５５    印刷用データ生成部
５１１  デザインデータ保持部
５１２  爪領域データ保持部
ｄｐ    デザインパーツ
Ｔ      爪
Ｔａ    爪領域
Ｕ１    印刷指
Ｕ２    非印刷指
【図１】
0005435108.tif 000002
【図２】
0005435108.tif 000003
【図３】
0005435108.tif 000004
【図４】
0005435108.tif 000005
【図５】
0005435108.tif 000006
【図６】
0005435108.tif 000007
【図７】
0005435108.tif 000008
【図８】
0005435108.tif 000009
【図９】
0005435108.tif 000010
【図１０】
0005435108.tif 000011
【図１１】
0005435108.tif 000012
【図１２】
0005435108.tif 000013
【図１３】
0005435108.tif 000014
【図１４】
0005435108.tif 000015
【図１５】
0005435108.tif 000016
【図１６】
0005435108.tif 000017
【図１７】
0005435108.tif 000018
【図１８】
0005435108.tif 000019
【図１９】
0005435108.tif 000020
【図２０】
0005435108.tif 000021
【図２１】
0005435108.tif 000022
【図２２】
0005435108.tif 000023
【図２３】
0005435108.tif 000024